(57)【要約】【課題】使用状態と収納状態で棚板を保持可能な畳み式の棚受け金具を提供する。【解決手段】基部２と、可動部３と、基部２と可動部３とを連結する軸部４と、使用状態及び収納状態の時に可動部３を基部２に保持する第１永久磁石１４及び第２永久磁石３２と、を備え、基部２は基部２を取り付ける被取付部材に取り付ける取付部１１と、軸部４を取り付ける軸取付部１２と、棚板５が使用状態の時に棚板５を支持する支持部４３と、を有し、軸取付部１２には軸部４を挿通する軸部摺動孔４０が形成され、軸部４は軸部摺動孔４０内を水平方向に移動可能であり、可動部３は棚板５を取り付ける棚板取付部と、軸部４を挿通する軸孔６２が形成された軸挿通部５２と、を有し、軸部４が軸部摺動孔４０の前端部に位置する時に可動部３が基部２に対して軸部４を中心として回動自在である。【選択図】図１
0003209112.tif 000002
【実用新案登録請求の範囲】
【請求項１】
棚板を使用状態と収納状態で保持可能な折り畳み式の棚受け金具であって、
基部と、可動部と、前記基部と前記可動部とを連結する軸部と、前記使用状態及び前記収納状態の時に前記可動部を前記基部に保持する保持手段と、を備え、
前記基部は前記基部を取り付ける被取付部材に取り付ける取付部と、前記軸部を取り付ける軸取付部と、前記棚板が使用状態の時に前記棚板を支持する支持部と、を有し、
前記軸取付部には前記軸部を挿通する第１挿通孔が形成され、前記軸部は前記第１挿通孔内を水平方向に移動可能であり、
前記可動部は前記棚板を取り付ける棚板取付部と、前記軸部を挿通する第２挿通孔が形成された軸挿通部と、を有し、
前記軸部が前記第１挿通孔の一端に位置する時に前記可動部が前記基部に対して前記軸部を中心として回動自在であることを特徴とする棚受け金具。
【請求項２】
前記保持手段が永久磁石であり、前記可動部及び前記棚板が前記永久磁石に吸着可能であることを特徴とする請求項１に記載の棚受け金具。
【請求項３】
前記取付部及び前記軸取付部に前記永久磁石を設け、前記使用状態の時に前記取付部に設けた前記永久磁石が前記可動部に吸着し、前記収納状態の時に前記軸取付部に設けた前記永久磁石が前記棚板に吸着することを特徴とする請求項２に記載の棚受け金具。
【請求項４】
前記永久磁石が板状に形成され、前記可動部に前記永久磁石が吸着する磁石受部が設けられ、前記軸取付部に前記永久磁石を取り付ける磁石取付部が形成されていることを特徴とする請求項３に記載の棚受け金具。
【請求項５】
前記保持手段が引張コイルばねであり、前記引張コイルばねの一端が前記基部に係止され、前記引張コイルばねの他端が前記可動部に係止され、前記使用状態の時に、前記可動部が前記引張コイルばねにより前記軸部が前記第１挿通孔の他端側に移動する方向に付勢され、前記収納状態の時に、前記引張コイルばねが収縮状態となることを特徴とする請求項１に記載の棚受け金具。
【考案の詳細な説明】
【技術分野】
【０００１】
本考案は、テーブルや壁面等に棚板を取り付けるための棚受け金具に関する。
【背景技術】
【０００２】
従来、テーブルの天板や、カウンターテーブルの足元の壁面等に補助的な棚板を取り付ける金具として、折り畳み可能な折畳金具が知られている（例えば、特許文献１）。特許文献１に記載されている折畳金具は、棚板を取り付けた可動片が固定片に対して回動することにより、可動片の板取付面が水平状態及び垂直状態となるようになっている。
【０００３】
この折畳金具は、可動片の板取付面が水平状態のときに可動片が回動しないように、可動片に形成された係止部が固定片に設けられたストッパーに係止できるようになっている。
【先行技術文献】
【特許文献】
【０００４】
【特許文献１】特開２０１０−９４４６７号公報
【考案の概要】
【考案が解決しようとする課題】
【０００５】
しかしながら、この係止部はストッパーの下方に係止しているのみであり、棚板を手前方向に引くと係止部とストッパーとの係止が容易に外れてしまう。特許文献１には棚板を手前方向に引くことを妨げるような手段が記載されていないことから、棚板が手前方向に引かれると可動片が回動し、棚板に載置した載置物が落下してしまう虞があった。また、可動片の板取付面が垂直状態の時には可動片を固定片に対して保持する手段が無いため、回動片が不安定な状態となってしまうという問題があった。
【０００６】
本考案は上記問題点に鑑み、棚板が使用状態及び収納状態の時に棚板を保持可能な棚受け金具を提供することを目的とする。
【課題を解決するための手段】
【０００７】
本考案の請求項１に記載の棚受け金具は、棚板を使用状態と収納状態で保持可能な折り畳み式の棚受け金具であって、基部と、可動部と、前記基部と前記可動部とを連結する軸部と、前記使用状態及び前記収納状態の時に前記可動部を前記基部に保持する保持手段と、を備え、前記基部は前記基部を取り付ける被取付部材に取り付ける取付部と、前記軸部を取り付ける軸取付部と、前記棚板が使用状態の時に前記棚板を支持する支持部と、を有し、前記軸取付部には前記軸部を挿通する第１挿通孔が形成され、前記軸部は前記第１挿通孔内を水平方向に移動可能であり、前記可動部は前記棚板を取り付ける棚板取付部と、前記軸部を挿通する第２挿通孔が形成された軸挿通部と、を有し、前記軸部が前記第１挿通孔の一端に位置する時に前記可動部が前記基部に対して前記軸部を中心として回動自在であることを特徴とする。
【０００８】
また、本考案の請求項２に記載の棚受け金具は、前記保持手段が永久磁石であり、前記可動部及び前記棚板が前記永久磁石に吸着可能であることを特徴とする。
ことを特徴とする。
【０００９】
また、本考案の請求項３に記載の棚受け金具は、前記取付部及び前記軸取付部に前記永久磁石を設け、前記使用状態の時に前記取付部に設けた前記永久磁石が前記可動部に吸着し、前記収納状態の時に前記軸取付部に設けた前記永久磁石が前記棚板に吸着することを特徴とする。
ことを特徴とする。
【００１０】
また、本考案の請求項４に記載の棚受け金具は、前記永久磁石が板状に形成され、前記可動部に前記永久磁石が吸着する磁石受部が設けられ、前記軸取付部に前記永久磁石を取り付ける磁石取付部が形成されていることを特徴とする。
【００１１】
また、本考案の請求項５に記載の棚受け金具は、前記保持手段が引張コイルばねであり、前記引張コイルばねの一端が前記基部に係止され、前記引張コイルばねの他端が前記可動部に係止され、前記使用状態の時に、前記可動部が前記引張コイルばねにより前記軸部が前記第１挿通孔の他端側に移動する方向に付勢され、前記収納状態の時に、前記引張コイルばねが収縮状態となることを特徴とする。
【考案の効果】
【００１２】
請求項１の考案によれば、棚板を使用状態と収納状態で保持することができる。
【００１３】
請求項２の考案によれば、永久磁石の磁力により棚板を使用状態と収納状態で保持することができる。
【００１４】
請求項３の考案によれば、基部と可動部とを永久磁石の磁力により吸着させて棚板を使用状態で保持し、基部と棚板とを永久磁石の磁力により吸着させて棚板を収納状態で保持することができる。
【００１５】
請求項４の考案によれば、永久磁石の配置部分の厚みを抑えることができる。また、可動部に永久磁石を確実に吸着させることができる。また、永久磁石を基部に確実に取り付けることができる。
【００１６】
請求項５の考案によれば、引張コイルばねの付勢力により棚板を使用状態と収納状態で保持することができる。
【図面の簡単な説明】
【００１７】
【図１】本考案の実施例１を示す棚受け金具及び棚板の背面側の斜視図である。
【図２】同、底面側の斜視図である。
【図３】同、基部の正面図である。
【図４】同、可動部の底面側の斜視図である。
【図５】同、可動部の縦断面図である。
【図６】同、棚受け金具及び棚板の使用状態の右側面図である。
【図７】同、棚受け金具及び棚板の収納状態の左側面図である。
【図８】同、取付板に取り付けた状態の棚受け金具及び棚板の背面側の斜視図である。
【図９】同、目隠し板を用い、取付板に取り付けた状態の棚受け金具及び棚板の背面側の斜視図である。
【図１０】本考案の実施例２を示す棚受け金具の底面側の斜視図である。
【図１１】同、棚板を取り付けた状態の棚受け金具の底面側の斜視図である。
【図１２】同、棚板の平面側の斜視図である。
【考案を実施するための形態】
【００１８】
以下、本考案の第１実施例について、添付図１〜９を参照して説明する。以下に説明する実施例は、実用新案登録請求の範囲に記載された本考案の内容を限定するものではない。また、以下に説明される構成の全てが、本考案の必須要件であるとは限らない。
【実施例１】
【００１９】
本実施例の棚受け金具１は、基部２と、可動部３と、基部２と可動部３とを連結する軸部４とを有して構成されている。棚板５は可動部３に固定される。以下、図６の上下を棚受け金具１及び棚板５の上下とし、図６の左側を棚受け金具１及び棚板５の前側とし、図６の右側を棚受け金具１及び棚板５の後側として説明する。
【００２０】
基部２は冷間圧延鋼板により形成されており、略矩形板状の取付部１１と、取付部１１の長手方向両端から略直角に折り曲げられた軸取付部１２とを有して構成されている。なお、基部２は永久磁石に吸着可能な磁性を有する金属により形成されていればよく、例えば、フェライト系ステンレス等により形成してもよい。
【００２１】
取付部１１には、テーブルの天板や壁面等（図示せず）に棚受け金具１を固定するための取付板６に係止する丸皿小ねじ８４を取り付けるねじ係止孔１３が２箇所穿設されている。
【００２２】
取付部１１の上部中央の前側には、保持手段としての矩形板状の第１永久磁石１４が配設されている。第１永久磁石１４は皿小ねじ１５により取付部１１に固定されるため、第１永久磁石１４には皿穴１６が穿設され、取付部１１には螺子孔１７が穿設されている。皿小ねじ１５の頭部上面１８は第１永久磁石１４の前面１９と面一となっており、皿小ねじ１５の先端部２０は取付部１１の後側から突出しないように設計されている。なお、皿小ねじ１５の頭部上面１８は第１永久磁石１４の前面１９よりも前側方向に突出していなければ、皿小ねじ１５の頭部上面１８が第１永久磁石１４の前面１９と面一となっていなくてもよい。
【００２３】
また、図１に示すように、取付部１１に穿設されたねじ係止孔１３は、上部の細孔２１と下部の円形孔２２が一体となった形状を有している。円形孔２２は丸皿小ねじ８４の頭部８６が通過可能な大きさであり、細孔２１は丸皿小ねじ８４の胴部８５は通過可能であるが頭部８６が通過できない大きさとなっている。細孔２１の上端２３は円弧状に形成されている。
【００２４】
軸取付部１２は板状に形成されており、上辺部２４と前辺部２５との接続部分には円弧状の円弧部２６が形成され、下辺部２７と前辺部２５との接続部分は下辺部２７が短くなるように切り欠いた切欠部２８が形成されている。この切欠部２８には、軸取付部１２を矩形状に切り欠いた切欠凹部２９が形成され、この切欠凹部２９には外側方向に延びる矩形板状の磁石取付部３０が設けられている。磁石取付部３０の前側面３１には、保持手段としての矩形板状の第２永久磁石３２が取り付けられる。第２永久磁石３２には皿穴３３が穿設され、磁石取付部３０には螺子孔３４が穿設されており、第２永久磁石３２は皿小ねじ３５により磁石取付部３０に固定される。第２永久磁石３２の前面３６は、切欠部２８の端部３７よりも前側に突出している。また、図６に示すように、皿小ねじ３５の頭部上面３８は第２永久磁石３２の前面３６と面一となっている。なお、皿小ねじ３５の頭部上面３８は第２永久磁石３２の前面３６よりも前側方向に突出していなければ、皿小ねじ３５の頭部上面３８が第２永久磁石３２の前面３６と面一となっていなくてもよい。
【００２５】
また、軸取付部１２には前後方向に水平に延びる第１挿通孔としての軸部摺動孔４０が穿設されている。この軸部摺動孔４０の前端部４１及び後端部４２は円弧状に形成されている。軸取付部１２の上辺部２４には、外側方向に水平に延びる支持部４３が設けられている。支持部４３は矩形板状に形成されている。また、下辺部２７には内側方向に水平に延びる、矩形板状の下部折曲片４４が設けられている。
【００２６】
主に図４及び図５に示すとおり、可動部３は冷間圧延鋼板により形成されており、棚板５を取り付ける矩形板状の棚板取付部５１と、棚板取付部５１の長手方向両端に立設された板状の軸挿通部５２とを有している。なお、可動部３は永久磁石に吸着可能な磁性を有する金属で形成されていればよく、例えば、フェライト系ステンレス等により形成してもよい。棚板５は棚板取付部５１の上面５３に溶接により固定される。棚板取付部５１の前側端には下方向に延びる矩形板状の前片５４が設けられている。一方、棚板取付部５１の後側端には下方向に延びる矩形板状の当接部５５が形成されている。棚板取付部５１の後側端及び当接部５５には、矩形状に切り欠いた切欠凹部５６が形成されている。この切欠凹部５６の底辺部５７には、下方に延び、第１永久磁石１４の前面１９が当接する矩形板状の磁石受部５８が設けられている。前片５４と当接部５５と磁石受部５８は互いに略平行となっている。
【００２７】
軸挿通部５２は、前側が幅狭となるように下辺５９の前側部分と前辺６０の下側部分が切り欠かれている。また、軸挿通部５２には基部２と可動部３とを連結する軸部４を挿通する円形の軸孔６２が穿設されている。
【００２８】
軸部４は、長手方向の一端に抜止部６３が形成され、他端に留め具６４を挿通する留め具孔（図示せず）が穿設されている。
【００２９】
次に、基部２と可動部３の連結について説明する。まず、可動部３を基部２の軸取付部１２の間に配置する。そして、軸部４を一方の軸摺動孔４０と軸孔６２に外側から挿通する。そして、軸部４を他方の軸孔６２と軸摺動孔４０に内側から挿通する。その後、前記留め具孔に留め具６４を挿通する。軸部４の抜止部６３と一方の軸取付部１２との間には軸部４を挿通したワッシャ６７を設け、留め具６４と他方の軸取付部１２との間には軸部４を挿通したワッシャ６８を設ける。抜止部６３、ワッシャ６７、一方の軸取付部１２、一方の軸挿通部５２、他方の軸挿通部５２、他方の軸取付部１２、ワッシャ６８、留め具６４の間には各々微細な間隙が設けられているため、可動部３が基部２に対して軸部４を中心に回動自在となっている。また、軸部４が軸摺動孔４０内を前後方向に摺動可能となっている。
【００３０】
主に図１及び図２に示す棚板５は、矩形板状の天板部７１と、天板部７１の前端に取り付けられた把持部７２とを有して構成されている。天板部７１は冷間圧延鋼板により形成されているが、永久磁石に吸着可能な磁性を有する金属で形成されていればよく、例えば、フェライト系ステンレス等により形成してもよい。天板部７１の左右側部には、天板部７１を内側に折り曲げて溝状に形成した折曲部７３が設けられており、この折曲部７３の前側部に把持部７２の取付部７４が内包されビス７５により固定されている。把持部７２は、横長の板状に形成され、左右両端は外側に凸の円弧状に形成されている。把持部７２の裏面部には指を掛ける指掛溝部７６が形成されている。
【００３１】
ここで、遊技台（図示せず）を載置するテーブル（図示せず）へ棚受け金具１を取り付ける取付方法について説明する。前記テーブルの天板（図示せず）に棚受け金具１を取り付ける場合には、図８及び図９に示すように、取付補助具として、略直角に折り曲げて形成した取付板８１を用いる。この取付板８１は水平面部８２と垂直面部８３とを有し、垂直面部８３には丸皿小ねじ８４が２箇所固定されている。前記テーブルの天板の上面に取付板８１の水平面部８２を載置し、ビス等（図示せず）により取付板８１を前記天板に固定する。次に、丸皿小ねじ８４を取付部１１の丸孔２２に挿通し、取付部１１を下方に下げることにより丸皿小ねじ８４の胴部８５を細孔２１に挿通し、丸皿小ねじ８４の頭部８６を取付部１１に係止する。棚受け金具１は、その自重により丸皿小ねじ８４の頭部８６が取付部１１に係止した状態で維持される。棚受け金具１を取付板８１から取り外す場合には、丸皿小ねじ８４が取付部１１の丸孔２２に配置されるように棚受け金具１を上方に持ち上げ、棚受け金具１を前側に引いて丸皿小ねじ８４から取り外せばよい。
【００３２】
前記遊技台を載置するテーブルへ棚受け金具１を取り付ける場合には、図９に示すように、取付板８１の水平面部８２の周囲に目隠し用の目隠し板８７を配置してもよい。目隠し板８７は、前記天板にビス等（図示せず）により固定する。取付板８１の水平面部８２及び目隠し板８７の上面には前記遊技台が載置される。目隠し板８７を用いることにより、棚受け金具１の機械構造部分が見え難くなり、外観性を向上させることができる。
【００３３】
次に、棚板５を取り付けた棚受け金具１の使用方法について説明する。図６は棚板５の使用状態の位置を示している。この時、軸部４は軸摺動孔４０の後端部４２に位置しており、可動部３の当接部５５が基部２の取付部１１に当接し、可動部３の磁石受部５８が基部２の第１永久磁石１４の前面１９に吸着している。また、棚板５が基部２の支持部３９の上に載置された状態で支持されている。したがって、第１永久磁石１４の磁力及び支持部３９により棚板５が使用状態である水平状態で保持される。
【００３４】
この使用状態から、第１永久磁石１４の磁力よりも大きな力で把持部７２を前側方向に引くと、磁石受部５８が第１永久磁石１４から離れ、軸部４が軸摺動孔４０内を前側方向に移動する。軸部４が軸摺動孔４０の前端部４１まで移動すると、可動部３及び棚板５が軸部４を中心として下方に回動可能となる。この時、軸取付部１２には円弧部２６が形成されているため、軸取付部１２が棚板５の回動を阻害しないようになっている。また、軸部４が軸摺動孔４０内の前端部４１以外の位置に配置されている時は、棚板５の下面である棚板下面部７７が円弧部２６や支持部３９に当接しており、棚板５が下方に回動しないように規制されている。
【００３５】
図７に示すように、可動部３及び棚板５を下方に回動させると、棚板下面部７７が第２永久磁石３２の前面３６に当接し、第２永久磁石３２に棚板５が吸着して保持される。この状態が収納状態である。本実施例では、切欠部２８を形成することにより、収納状態の時に棚板５の把持部７２が棚板５の上部よりも後方に位置するようになっているが、切欠部２８を形成する際に切り欠き角度を変更することにより、収納状態の棚板５の傾きを変更することができる。棚板５を使用状態とするためには、把持部７２を把持して第２永久磁石３２の磁力よりも大きな力で前側方向へ引くと、第２永久磁石３２から棚板下面部７７が離れ、可動部３及び棚板５を上方に回動可能となる。可動部３及び棚板５を上方に回動させ、棚板５が水平状態となった時に把持部７２を後側方向に押すと軸部４が軸摺動孔４０内を後側方向に移動する。軸部４が軸摺動孔４０の後端部４０まで移動すると、第１永久磁石１４が磁石受部５８に吸着し、棚板５が使用状態となって保持される。
【００３６】
以上のように本実施例では、棚板５を使用状態と収納状態で保持可能な折り畳み式の棚受け金具１であって、基部２と、可動部３と、基部２と可動部３とを連結する軸部４と、使用状態及び収納状態の時に可動部３を基部２に保持する第１永久磁石１４及び第２永久磁石３２と、を備え、基部２は基部２を取り付ける被取付部材としての遊技台を載置するテーブルに取り付ける取付部１１と、軸部４を取り付ける軸取付部１２と、棚板５が使用状態の時に棚板５を支持する支持部４３と、を有し、軸取付部１２には軸部４を挿通する軸部摺動孔４０が形成され、軸部４は軸部摺動孔４０内を水平方向に移動可能であり、可動部３は棚板５を取り付ける棚板取付部５１と、軸部４を挿通する軸孔６２が形成された軸挿通部５２と、を有し、軸部４が軸部摺動孔４０の前端部４１に位置する時に可動部３が基部２に対して軸部４を中心として回動自在であることにより、棚板５を折り畳み可能とすることができる。そして、使用状態の時に第１永久磁石１４により基部２と可動部３を吸着させて保持し、収納状態の時に、基部２と棚板５を吸着させて保持することができる。
【００３７】
また、このように本実施例では、第１永久磁石１４及び第２永久磁石３２が永久磁石であり、可動部３及び棚板５が永久磁石に吸着可能であることにより、可動部３及び棚板５を第１永久磁石１４及び第２永久磁石３２に吸着させることができる。そして、可動部３を第１永久磁石１４に吸着させることにより、棚板５を使用状態で保持することができる。
【００３８】
また、このように本実施例では、取付部１１及び軸取付部１２に永久磁石を設け、使用状態の時に取付部１１に設けた第１永久磁石１４が可動部３に吸着し、収納状態の時に軸取付部１２に設けた第２永久磁石３２が棚板５に吸着することにより、可動部３を基部２に吸着した状態で保持し、棚板５を第２永久磁石３２に吸着させることにより、棚板５を基部２に吸着した状態で保持することができる。
【００３９】
また、このように本実施例では、第１永久磁石１４及び第２永久磁石３２が板状に形成され、可動部３に第１永久磁石１４が吸着する磁石受部５８が設けられ、軸取付部１２に第２永久磁石３２を取り付ける磁石取付部３０が形成されていることにより、第１永久磁石１４及び第２永久磁石３２の厚みを抑えることができる。また、第１永久磁石１４の広い面と磁石受部５８の広い面とを吸着させることにより確実に吸着させることができる。また、磁石取付部３０に第２永久磁石３２を取り付けた状態で、磁石取付部３０と第２永久磁石３２との厚みを抑えることができる。
【実施例２】
【００４０】
図１０〜図１２は、本考案の実施例２を示し、上記実施例１と同一部分に同一符号を付し、その詳細な説明を省略して詳述する。本実施例は、保持手段として引張コイルばね９１を用いたものである。引張コイルばね９１は、両端に丸フック９２，９３が形成されている。
【００４１】
本実施例の取付部１１には、コイルばね９１の丸フック９２を係止する係止部９４が設けられている。係止部９４は取付部１１の一部を３辺切断し、残りの１辺を前側方向に折り曲げて形成されている。係止部９４は矩形板状であり、取付部１１と略直角となっている。係止部９４には、円形の貫通孔である係止孔９５が穿設されている。この係止孔９５にコイルばね９１の丸フック９２が係止される。
【００４２】
また、本実施例の前片５４の左右中央部には、下方に延設された矩形板状の係止部９６が設けられている。係止部９６には、円形の貫通孔である係止孔９７が穿設されている。この係止孔９７にコイルばね９１の丸フック９３が係止される。
【００４３】
本実施例では、保持手段として引張コイルばね９１を用いるため、第１永久磁石１４及び第２永久磁石３２を使用しない。そのため、皿小ねじ１５、螺子孔１７、切欠凹部２９、磁石取付部３０、皿小ねじ３５、切欠凹部５６、磁石受部５８は設けられていない。なお、下部折曲片４４も設けられていない。
【００４４】
また、本実施例の棚板９８は金属ではなく木質ボードにより形成されているため、棚板９８が基部２との摩擦により損傷することを防止するため、基部２及び可動部３と棚板９８との間には、矩形板状の金属製の保護板９９が設けられている。棚板９８は、ビス１００により可動部３に固定されている。
【００４５】
本実施例の棚受け金具１及び棚板９８は、カウンターテーブル（図示せず）の足元の壁面（図示せず）に取り付けて使用するものであり、丸皿小ねじ８４が前記壁面に取り付けてあり、ねじ係止孔１３に丸皿小ねじ８４を挿通し、丸皿小ねじ８４を取付部１１に係止することにより棚受け金具１及び棚板９８が前記壁面に着脱可能に取り付けられる。本実施例では、ねじ係止孔１３が上下に各々２箇所設けられており、上下いずれかを選択して丸皿小ねじ８４を挿通することができる。
【００４６】
図１１及び図１２に示すように、本実施例の棚板９８には、前記カウンターテーブルの前に配置された椅子（図示せず）に着座した人の両膝を当接可能な凹状の膝当て部１０１が形成されている。また、棚板９８の上面には、棚板９８を使用状態及び収納状態とする際に把持する把持部１０２が設けられている。また、棚板９８の下面には収納状態の時に前記壁面に当接する弾性部材で形成された当止部１０３が設けられている。
【００４７】
ここで、本実施例の棚板９８を取り付けた棚受け金具１の使用方法について説明する。図１１は、棚受け金具１及び棚板９８の使用状態を示している。この時、引張コイルばね９１の付勢力により可動部３は後側に付勢されている。そのため、軸部４は軸部摺動孔４０の後端部４２に位置し、棚板９８が使用状態で保持されている。この状態から、把持部１０２を把持し、引張コイルばね９１の付勢力よりも大きな力で棚板９８を前側に引くと、軸部４が軸摺動孔４０内を前側方向に移動し、軸部４が軸摺動孔４０の前端部４１まで移動すると、可動部３及び棚板９８が軸部４を中心として下方に回動可能となる。そして、可動部３及び棚板９８を下方に回動させると、取付部１１と棚取付部５１が対向し、引張コイルばね９１が収縮した状態となる。この状態が棚板９８の収納状態であり、可動部３及び棚板９８は、引張コイルばね９１の付勢力よりも大きな力で上方に回動させなければ収納状態で保持される。棚板９８を使用状態とするためには、把持部１０２を把持して引張コイルばね９１の付勢力よりも大きな力で前側方向へ引き、可動部３及び棚板９８を上方に回動させ、棚板９８が水平状態にすると、引張コイルばね９１の付勢力により可動部３及び棚板９８が後側方向に引っ張られ、軸部４が軸部摺動孔４０内を後側方向に移動し、後端部４２まで移動して停止する。
【００４８】
以上のように本実施例では、保持手段が引張コイルばね９１であり、引張コイルばね９１の一端が基部２に係止され、引張コイルばね９１の他端が可動部３に係止され、使用状態の時に、可動部３が引張コイルばね９１により軸部４が軸摺動孔４０の後端部４２側に移動する方向に付勢され、収納状態の時に、引張コイルばね９１が収縮状態となることにより、引張コイルばね９１により可動部３及び棚板９８を使用状態で保持することができる。使用状態から可動部３及び棚板９８を動かす場合には、引張コイルばね９１の付勢力に抗する必要があり、意図せずに可動部３及び棚板９８が移動することを防止することができる。また、可動部３及び棚板９８を収納状態の時に上方に回動させるには、引張コイルばね９１の付勢力に抗する必要があり、可動部３及び棚板９８が意図せずに上方に回動することを防止できる。
【００４９】
なお、本考案は上記実施形態に限定されるものではなく、本考案の要旨の範囲内において、種々の変形実施が可能である。例えば、保持手段として実施例１の第１永久磁石及び第２永久磁石と、実施例２の引張コイルばねを同時に使用してもよい。
【符号の説明】
【００５０】
１  棚受け金具
２  基部
３  可動部
４  軸部
５  棚板
１１  取付部
１２  軸取付部
１４  第１永久磁石（保持手段）
３０  磁石取付部
３２  第２永久磁石（保持手段）
４０  軸摺動孔（第１挿通孔）
４１  前端部（一端）
４２  後端部
４３  支持部
５１  棚板取付部
５２  軸挿通部
６１  軸部
６２  軸孔（第２挿通孔）
９１  引張コイルばね（保持手段）
【図１】
0003209112.tif 000003
【図２】
0003209112.tif 000004
【図３】
0003209112.tif 000005
【図４】
0003209112.tif 000006
【図５】
0003209112.tif 000007
【図６】
0003209112.tif 000008
【図７】
0003209112.tif 000009
【図８】
0003209112.tif 000010
【図９】
0003209112.tif 000011
【図１０】
0003209112.tif 000012
【図１１】
0003209112.tif 000013
【図１２】
0003209112.tif 000014